(57)【特許請求の範囲】
【請求項１】
原稿が載置される原稿台と、
前記原稿台に載置された原稿に記録された画像を読み取る読取部と、
前記原稿台を露出させる開位置、及び前記原稿台を被覆する閉位置の間を移動可能なカバーと、
前記カバーの位置を検知するカバーセンサと、
操作部と、
報知部と、
出力部と、
制御部とを備える画像形成装置であって、
前記制御部は、
前記操作部を通じてユーザ操作を受け付ける受付処理を実行し、
Ｎ（Ｎは２以上の整数）枚の原稿に記録された画像を前記読取部に順番に読み取らせることを指示する指示操作を前記受付処理で受け付けたことに応じて、
前記カバーが前記開位置に移動され、その後に前記カバーが前記閉位置に移動される開閉動作を前記カバーセンサを通じて検知する検知処理と、
前記検知処理で前記開閉動作を検知したことに応じて、前記原稿台に載置された原稿に記録された画像を前記読取部に読み取らせる読取処理と、
次の原稿を前記原稿台に載置することを前記報知部に報知させる第１報知処理とを繰り返す連続読取処理を実行し、
前記読取処理をＮ回実行したことに応じて、前記連続読取処理で読み取った複数の画像を纏めて前記出力部に出力させる出力処理を実行し、
該画像形成装置の待機状態において、前記検知処理と、前記検知処理で前記開閉動作を検知したことに応じて、前記原稿台に原稿が載置されているか否かを確認する確認処理とを実行し、
前記受付処理で前記指示操作を受け付けたことに応じて、直近の前記確認処理の結果に基づいて、前記原稿台に原稿が載置されているか否かを判断する判断処理を実行し、
前記原稿台に原稿が載置されていないと前記判断処理で判断したことに応じて、１回目の前記検知処理を実行し、
前記原稿台に原稿が載置されていると前記判断処理で判断したことに応じて、１回目の前記検知処理を実行せずに、１回目の前記読取処理を実行する画像形成装置。
【請求項２】
前記制御部は、
前記検知処理で前記開閉動作を検知したことに応じて、前記原稿台に原稿が載置されているか否かを確認する確認処理を実行し、
前記確認処理で原稿の存在を確認できたことに応じて、前記読取処理を実行し、
前記確認処理で原稿の存在を確認できなかったことに応じて、前記第１報知処理を再び実行する請求項１に記載の画像形成装置。
【請求項３】
原稿が載置される原稿台と、
前記原稿台に載置された原稿に記録された画像を読み取る読取部と、
前記原稿台を露出させる開位置、及び前記原稿台を被覆する閉位置の間を移動可能なカバーと、
前記カバーの位置を検知するカバーセンサと、
操作部と、
報知部と、
出力部と、
制御部とを備える画像形成装置であって、
前記制御部は、
前記操作部を通じてユーザ操作を受け付ける受付処理を実行し、
Ｎ（Ｎは２以上の整数）枚の原稿に記録された画像を前記読取部に順番に読み取らせることを指示する指示操作を前記受付処理で受け付けたことに応じて、
前記カバーが前記開位置に移動され、その後に前記カバーが前記閉位置に移動される開閉動作を前記カバーセンサを通じて検知する検知処理と、
前記検知処理で前記開閉動作を検知したことに応じて、前記原稿台に載置された原稿に記録された画像を前記読取部に読み取らせる読取処理と、
次の原稿を前記原稿台に載置することを前記報知部に報知させる第１報知処理とを繰り返す連続読取処理を実行し、
前記読取処理をＮ回実行したことに応じて、前記連続読取処理で読み取った複数の画像を纏めて前記出力部に出力させる出力処理を実行し、
前記検知処理で前記開閉動作を検知したことに応じて、前記原稿台に原稿が載置されているか否かを確認する確認処理を実行し、
前記確認処理で原稿の存在を確認できたことに応じて、前記読取処理を実行し、
前記確認処理で原稿の存在を確認できなかったことに応じて、前記連続読取処理を中止
して前記出力処理を実行し、
該画像形成装置の待機状態において、前記検知処理と、前記検知処理で前記開閉動作を検知したことに応じて、前記原稿台に原稿が載置されているか否かを確認する確認処理とを実行し、
前記受付処理で前記指示操作を受け付けたことに応じて、直近の前記確認処理の結果に基づいて、前記原稿台に原稿が載置されているか否かを判断する判断処理を実行し、
前記原稿台に原稿が載置されていないと前記判断処理で判断したことに応じて、１回目の前記検知処理を実行し、
前記原稿台に原稿が載置されていると前記判断処理で判断したことに応じて、１回目の前記検知処理を実行せずに、１回目の前記読取処理を実行する画像形成装置。
【請求項４】
原稿が載置される原稿台と、
前記原稿台に載置された原稿に記録された画像を読み取る読取部と、
前記原稿台を露出させる開位置、及び前記原稿台を被覆する閉位置の間を移動可能なカバーと、
前記カバーの位置を検知するカバーセンサと、
操作部と、
報知部と、
出力部と、
制御部とを備える画像形成装置であって、
前記閉位置において前記原稿台に対面する前記カバーの面の色は、基準色であり、
前記制御部は、
前記操作部を通じてユーザ操作を受け付ける受付処理を実行し、
Ｎ（Ｎは２以上の整数）枚の原稿に記録された画像を前記読取部に順番に読み取らせることを指示する指示操作を前記受付処理で受け付けたことに応じて、
前記カバーが前記開位置に移動され、その後に前記カバーが前記閉位置に移動される開閉動作を前記カバーセンサを通じて検知する検知処理と、
前記検知処理で前記開閉動作を検知したことに応じて、前記原稿台に載置された原稿に記録された画像を前記読取部に読み取らせる読取処理と、
次の原稿を前記原稿台に載置することを前記報知部に報知させる第１報知処理とを繰り返す連続読取処理を実行し、
前記読取処理をＮ回実行したことに応じて、前記連続読取処理で読み取った複数の画像を纏めて前記出力部に出力させる出力処理を実行し、
前記検知処理で前記開閉動作を検知したことに応じて、前記原稿台に原稿が載置されているか否かを確認する確認処理を実行し、
前記確認処理で原稿の存在を確認できたことに応じて、前記読取処理を実行し、
前記確認処理で原稿の存在を確認できなかったことに応じて、前記第１報知処理を再び実行し、
前記確認処理において、前記読取処理の一部を前記読取部に実行させ、当該読取処理で読み取った画像に含まれる前記基準色の割合を確認する画像形成装置。
【請求項５】
原稿が載置される原稿台と、
前記原稿台に載置された原稿に記録された画像を読み取る読取部と、
前記原稿台を露出させる開位置、及び前記原稿台を被覆する閉位置の間を移動可能なカバーと、
前記カバーの位置を検知するカバーセンサと、
操作部と、
報知部と、
出力部と、
制御部とを備える画像形成装置であって、
前記閉位置において前記原稿台に対面する前記カバーの面の色は、基準色であり、
前記制御部は、
前記操作部を通じてユーザ操作を受け付ける受付処理を実行し、
Ｎ（Ｎは２以上の整数）枚の原稿に記録された画像を前記読取部に順番に読み取らせることを指示する指示操作を前記受付処理で受け付けたことに応じて、
前記カバーが前記開位置に移動され、その後に前記カバーが前記閉位置に移動される開閉動作を前記カバーセンサを通じて検知する検知処理と、
前記検知処理で前記開閉動作を検知したことに応じて、前記原稿台に載置された原稿に記録された画像を前記読取部に読み取らせる読取処理と、
次の原稿を前記原稿台に載置することを前記報知部に報知させる第１報知処理とを繰り返す連続読取処理を実行し、
前記読取処理をＮ回実行したことに応じて、前記連続読取処理で読み取った複数の画像を纏めて前記出力部に出力させる出力処理を実行し、
前記検知処理で前記開閉動作を検知したことに応じて、前記原稿台に原稿が載置されているか否かを確認する確認処理を実行し、
前記確認処理で原稿の存在を確認できたことに応じて、前記読取処理を実行し、
前記確認処理で原稿の存在を確認できなかったことに応じて、前記連続読取処理を中止して前記出力処理を実行し、
前記確認処理において、前記読取処理の一部を前記読取部に実行させ、当該読取処理で読み取った画像に含まれる前記基準色の割合を確認する画像形成装置。
【請求項６】
原稿が載置される原稿台と、
前記原稿台に載置された原稿に記録された画像を読み取る読取部と、
前記原稿台を露出させる開位置、及び前記原稿台を被覆する閉位置の間を移動可能なカバーと、
前記カバーの位置を検知するカバーセンサと、
操作部と、
報知部と、
出力部と、
制御部とを備える画像形成装置であって、
前記出力部は、
シートに画像を記録する記録部と、
前記記録部によって画像が記録されたシートが排出される排出部とを備えており、
前記閉位置において前記原稿台に対面する前記カバーの面の色は、基準色であり、
前記制御部は、
前記操作部を通じてユーザ操作を受け付ける受付処理を実行し、
Ｎ（Ｎは２以上の整数）枚の原稿に記録された画像を前記読取部に順番に読み取らせることを指示する指示操作を前記受付処理で受け付けたことに応じて、
前記カバーが前記開位置に移動され、その後に前記カバーが前記閉位置に移動される開閉動作を前記カバーセンサを通じて検知する検知処理と、
前記検知処理で前記開閉動作を検知したことに応じて、前記原稿台に載置された原稿に記録された画像を前記読取部に読み取らせる読取処理と、
次の原稿を前記原稿台に載置することを前記報知部に報知させる第１報知処理とを繰り返す連続読取処理を実行し、
前記読取処理をＮ回実行したことに応じて、前記連続読取処理で読み取った複数の画像を纏めて前記出力部に出力させる出力処理を実行し、
前記出力処理において、前記連続読取処理で読み取った複数の画像をシートに対して前記記録部に記録させ、
前記出力処理が終了したことに応じて、前記原稿台に載置された原稿を回収することを前記報知部に報知させる第２報知処理と、
前記第２報知処理中に前記検知処理で前記開閉動作を検知したことに応じて、前記原稿台に原稿が載置されているか否かを確認する確認処理と、
前記確認処理で前記原稿の存在を確認できなかったことに応じて、前記出力処理で画像が記録されたシートを前記記録部に前記排出部へ排出させる排出処理とを実行し、
前記確認処理において、前記読取処理の一部を前記読取部に実行させ、当該読取処理で読み取った画像に含まれる前記基準色の割合を確認する画像形成装置。
【請求項７】
前記出力部は、
シートに画像を記録する記録部と、
前記記録部によって画像が記録されたシートが排出される排出部とを備えており、
前記制御部は、
前記出力処理において、前記連続読取処理で読み取った複数の画像をシートに対して前記記録部に記録させ、
前記出力処理が終了したことに応じて、前記原稿台に載置された原稿を回収することを前記報知部に報知させる第２報知処理と、
前記第２報知処理中に前記検知処理で前記開閉動作を検知したことに応じて、前記原稿台に原稿が載置されているか否かを確認する確認処理と、
前記確認処理で前記原稿の存在を確認できなかったことに応じて、前記出力処理で画像が記録されたシートを前記記録部に前記排出部へ排出させる排出処理とを実行する請求項１から５のいずれかに記載の画像形成装置。
【請求項８】
前記出力部は、
シートに画像を記録する記録部と、
前記記録部によって画像が記録されたシートが排出される排出部とを備えており、
前記制御部は、
前記出力処理において、前記連続読取処理で読み取った複数の画像をシートに対して前記記録部に記録させ、
前記出力処理が終了したことに応じて、前記原稿台に載置された原稿を回収することを前記報知部に報知させる第２報知処理と、
前記カバーが前記開位置に移動されたことを、前記第２報知処理中に前記カバーセンサを通じて検知する開検知処理と、
前記カバーの開放を前記開検知処理で検知したことに応じて、前記出力処理で画像が記録されたシートを前記記録部に前記排出部へ排出させる排出処理とを実行する請求項１から５のいずれかに記載の画像形成装置。
【請求項９】
前記制御部は、前記連続読取処理の中止を指示するキャンセル操作を前記第１報知処理中に前記受付処理で受け付けたことに応じて、前記連続読取処理を中止して前記出力処理を実行する請求項１から８のいずれかに記載の画像形成装置。
【請求項１０】
原稿が載置される原稿台と、
前記原稿台に載置された原稿に記録された画像を読み取る読取部と、
前記原稿台を露出させる開位置、及び前記原稿台を被覆する閉位置の間を移動可能なカバーと、
前記カバーの位置を検知するカバーセンサと、
操作部と、
報知部と、
出力部と、
制御部とを備える画像形成装置であって、
前記制御部は、
複数の原稿に記録された画像を前記読取部に順番に読み取らせることを指示する指示操作を、前記操作部を通じて受け付ける受付処理を実行し、
前記受付処理で前記指示操作を受け付けたことに応じて、
前記カバーが前記開位置に移動され、その後に前記カバーが前記閉位置に移動される開閉動作を前記カバーセンサを通じて検知する検知処理と、
前記検知処理で前記開閉動作を検知したことに応じて、前記原稿台に原稿が載置されているか否かを確認する確認処理と、
前記確認処理で原稿の存在を確認できたことに応じて、前記原稿台に載置された原稿に記録された画像を前記読取部に読み取らせる読取処理と、
次の原稿を前記原稿台に載置することを前記報知部に報知させる第１報知処理とを繰り返す連続読取処理を実行し、
前記確認処理で原稿の存在を確認できなかったことに応じて、前記連続読取処理で読み取った複数の画像を纏めて前記出力部に出力させる出力処理を実行し、
該画像形成装置の待機状態において、前記検知処理と、前記検知処理で前記開閉動作を検知したことに応じて、前記原稿台に原稿が載置されているか否かを確認する確認処理とを実行し、
前記受付処理で前記指示操作を受け付けたことに応じて、直近の前記確認処理の結果に基づいて、前記原稿台に原稿が載置されているか否かを判断する判断処理を実行し、
前記原稿台に原稿が載置されていないと前記判断処理で判断したことに応じて、１回目の前記検知処理を実行し、
前記原稿台に原稿が載置されていると前記判断処理で判断したことに応じて、１回目の前記検知処理を実行せずに、１回目の前記読取処理を実行する画像形成装置。
【請求項１１】
原稿が載置される原稿台と、
前記原稿台に載置された原稿に記録された画像を読み取る読取部と、
前記原稿台を露出させる開位置、及び前記原稿台を被覆する閉位置の間を移動可能なカバーと、
前記カバーの位置を検知するカバーセンサと、
操作部と、
報知部と、
出力部と、
制御部とを備える画像形成装置であって、
前記閉位置において前記原稿台に対面する前記カバーの面の色は、基準色であり、
前記制御部は、
複数の原稿に記録された画像を前記読取部に順番に読み取らせることを指示する指示操作を、前記操作部を通じて受け付ける受付処理を実行し、
前記受付処理で前記指示操作を受け付けたことに応じて、
前記カバーが前記開位置に移動され、その後に前記カバーが前記閉位置に移動される開閉動作を前記カバーセンサを通じて検知する検知処理と、
前記検知処理で前記開閉動作を検知したことに応じて、前記原稿台に原稿が載置されているか否かを確認する確認処理と、
前記確認処理で原稿の存在を確認できたことに応じて、前記原稿台に載置された原稿に記録された画像を前記読取部に読み取らせる読取処理と、
次の原稿を前記原稿台に載置することを前記報知部に報知させる第１報知処理とを繰り返す連続読取処理を実行し、
前記確認処理で原稿の存在を確認できなかったことに応じて、前記連続読取処理で読み取った複数の画像を纏めて前記出力部に出力させる出力処理を実行し、
前記確認処理において、前記読取処理の一部を前記読取部に実行させ、当該読取処理で読み取った画像に含まれる前記基準色の割合を確認する画像形成装置。
【請求項１２】
前記制御部は、
該画像形成装置の待機状態において、
前記検知処理と、
前記検知処理で前記開閉動作を検知したことに応じて、前記原稿台に原稿が載置されているか否かを確認する確認処理とを実行し、
前記受付処理で前記指示操作を受け付けたことに応じて、直近の前記確認処理の結果に基づいて、前記原稿台に原稿が載置されているか否かを判断する判断処理を実行し、
前記原稿台に原稿が載置されていないと前記判断処理で判断したことに応じて、１回目の前記検知処理を実行し、
前記原稿台に原稿が載置されていると前記判断処理で判断したことに応じて、１回目の前記検知処理を実行せずに、１回目の前記読取処理を実行する請求項１１に記載の画像形成装置。
【請求項１３】
前記読取部は、前記読取処理において、前記原稿台に載置された原稿に記録された画像を読み取りつつ待機位置から折返位置まで移動し、且つ当該画像を読み取った後に前記折返位置から前記待機位置へ移動し、
前記制御部は、前記折返位置に到達したことに応じて、或いは前記折返位置から前記待機位置への移動中に、前記第１報知処理を開始する請求項１から１２のいずれかに記載の画像形成装置。
【請求項１４】
前記出力部は、シートに画像を記録する記録部を備えており、
前記制御部は、前記出力処理において、前記連続読取処理で読み取った複数の画像を１枚のシートに対して前記記録部に記録させる請求項１から１３のいずれかに記載の画像形成装置。
【請求項１５】
前記出力部は、シートに画像を記録する記録部を備えており、
前記制御部は、前記出力処理において、前記連続読取処理で読み取った複数の画像を読取順序と異なる順序でシートに対して前記記録部に記録させる請求項１から１３のいずれかに記載の画像形成装置。
【発明の詳細な説明】
【技術分野】
【０００１】
本発明は、原稿に記録された画像を読み取って出力する画像形成装置に関する。
【背景技術】
【０００２】
従来より、原稿台に載置された原稿に記録された画像を読み取り、当該画像をシートに記録する所謂コピー動作を実行可能な画像形成装置が知られている。また、複数の原稿を順番に読み取る連続読取処理におけるユーザ操作を簡略化するための手段として、例えば特許文献１には、原稿台を露出或いは被覆するカバーの開閉をトリガとして、読取処理を開始する画像読取装置が記載されている。
【０００３】
また、特許文献１に記載の画像読取装置は、連続読取時間が経過するまでにコピー動作が行われなければ、カバーの開閉を読取処理のトリガとする連続読取モードから、操作ボタンの押下等を読取処理のトリガとする通常読取モードとにモード変化する。そして、上記構成を採用することによって、ユーザの意図しない読取処理がカバーの開閉をトリガとして開始されることが抑制される、と特許文献１に記載されている。
【先行技術文献】
【特許文献】
【０００４】
【特許文献１】特開２００５−７９９２６号公報
【発明の概要】
【発明が解決しようとする課題】
【０００５】
しかしながら、連続読取モードから通常読取モードへのモード変化のタイミングは、例えば、画像読取装置を利用するユーザの作業スピードや原稿の種類等によって変動し得るので、連続読取時間の最適値を予め設定しておくことは容易ではない。そして、通常読取時間がユーザの想定より短いと、全ての原稿を読み取らせる前に通常読取モードにモード変化してしまうという課題を生じる可能性がある。この課題は、順番に読み取った複数の画像を纏めて出力する処理を実行している場合に、特に顕著になる。
【０００６】
ここで、順番に読み取った複数の画像を纏めて出力するとは、例えば、複数の画像を１枚のシートに記録する処理（以下、「集約コピー」と表記する。）、複数の画像を含む１つの画像データを生成する処理、或いは複数の画像を読取順と逆順でシートに記録する処理（以下、「逆順コピー」と表記する。）等が挙げられる。
【０００７】
本発明は、上記の事情に鑑みてなされたものであり、その目的は、連続読取処理で読み取った複数の画像を纏めて出力する場合において、当該連続読取処理の終了を適切に判断することが可能な画像形成装置を提供することにある。
【課題を解決するための手段】
【０００８】
本明細書の一形態に係る画像形成装置は、原稿が載置される原稿台と、前記原稿台に載置された原稿に記録された画像を読み取る読取部と、前記原稿台を露出させる開位置、及び前記原稿台を被覆する閉位置の間を移動可能なカバーと、前記カバーの位置を検知するカバーセンサと、操作部と、報知部と、出力部と、制御部とを備える。前記制御部は、前記操作部を通じてユーザ操作を受け付ける受付処理を実行する。前記制御部は、Ｎ（Ｎは２以上の整数）枚の原稿に記録された画像を前記読取部に順番に読み取らせることを指示する指示操作を前記受付処理で受け付けたことに応じて、前記カバーが前記開位置に移動され、その後に前記カバーが前記閉位置に移動される開閉動作を前記カバーセンサを通じて検知する検知処理と、前記検知処理で前記開閉動作を検知したことに応じて、前記原稿台に載置された原稿に記録された画像を前記読取部に読み取らせる読取処理と、次の原稿を前記原稿台に載置することを前記報知部に報知させる第１報知処理とを繰り返す連続読取処理を実行する。前記制御部は、前記読取処理をＮ回実行したことに応じて、前記連続読取処理で読み取った複数の画像を纏めて前記出力部に出力させる出力処理を実行する。
【０００９】
上記構成によれば、カバーの開閉が検知されたことをトリガとして読取処理が実行されるので、連続読取処理におけるユーザ操作を簡略化することができる。また、連続読取処理の開始前に指定したＮ回の読取処理を実行したことに応じて、出力処理が実行される。すなわち、連続読取処理の終了を適切に判断することができる。
【００１０】
本明細書の他の形態に係る画像形成装置は、原稿が載置される原稿台と、前記原稿台に載置された原稿に記録された画像を読み取る読取部と、前記原稿台を露出させる開位置、及び前記原稿台を被覆する閉位置の間を移動可能なカバーと、前記カバーの位置を検知するカバーセンサと、操作部と、報知部と、出力部と、制御部とを備える。前記制御部は、複数の原稿に記録された画像を前記読取部に順番に読み取らせることを指示する指示操作を、前記操作部を通じて受け付ける受付処理を実行する。前記制御部は、前記受付処理で前記指示操作を受け付けたことに応じて、前記カバーが前記開位置に移動され、その後に前記カバーが前記閉位置に移動される開閉動作を前記カバーセンサを通じて検知する検知処理と、前記検知処理で前記開閉動作を検知したことに応じて、前記原稿台に原稿が載置されているか否かを確認する確認処理と、前記確認処理で原稿の存在を確認できたことに応じて、前記原稿台に載置された原稿に記録された画像を前記読取部に読み取らせる読取処理と、次の原稿を前記原稿台に載置することを前記報知部に報知させる第１報知処理とを繰り返す連続読取処理を実行する。前記制御部は、前記確認処理で原稿の存在を確認できなかったことに応じて、前記連続読取処理で読み取った複数の画像を纏めて前記出力部に出力させる出力処理を実行する。
【図面の簡単な説明】
【００１１】
【図１】図１は、複合機１０の外観斜視図であって、（Ａ）はＦＢカバー３３が開位置の状態を、（Ｂ）はＦＢカバー３３が閉位置の状態を示す。
【図２】図２は、（Ａ）がプリンタ部２０の内部構造を模式的に示す図であり、（Ｂ）がスキャナ部３０の構造を模式的に示す図である。
【図３】図３は、複合機１０のブロック図である。
【図４】図４は、メイン処理のフローチャートである。
【図５】図５は、原稿チェック処理のフローチャートである。
【図６】図６は、集約コピー処理のフローチャートである。
【図７】図７は、プリント＆回収指示処理の一例である。
【図８】図８は、ソートコピー処理の一例である。
【図９】図９は、表示部４１の表示例であって、（Ａ）はメニュー画面を、（Ｂ）は設定画面を示す。
【図１０】図１０は、表示部４１の表示例であって、（Ａ）はセット指示画面１を、（Ｂ）はセット指示画面２を示す。
【図１１】図１１は、表示部４１の表示例であって、（Ａ）は回収指示画面１を、（Ｂ）は回収指示画面２を示す。
【図１２】図１２は、表示部４１の表示例であって、（Ａ）はセット指示画面３を、（Ｂ）はセット指示画面４を示す。
【発明を実施するための形態】
【００１２】
以下、適宜図面を参照して本発明の実施形態について説明する。なお、以下に説明される実施形態は本発明の一例にすぎず、本発明の要旨を変更しない範囲で、本発明の実施形態を適宜変更できることは言うまでもない。
【００１３】
［複合機１０の全体構成］
複合機１０は、図１に示されるように、概ね直方体に形成されている。複合機１０は、プリンタ部２０と、プリンタ部２０より上方に配置されたスキャナ部３０とを備える。プリンタ部２０は、画像データで示される画像をシート１２に記録するプリント動作を実行する。プリンタ部２０の記録方式として、インクジェット方式や電子写真方式などの公知の方式を採用することができる。スキャナ部３０は、原稿に記録されている画像を読み取って画像データを生成するスキャン動作を実行する。
【００１４】
［プリンタ部２０］
プリンタ部２０は、図２（Ａ）に示されるように、シート１２が載置される給送トレイ２１と、給送トレイ２１に載置されたシート１２を搬送路２２に給送する給送ローラ部２３と、搬送路２２上のシート１２を搬送方向２４に搬送する搬送ローラ部２５及び排出ローラ部２６と、搬送路２２上のシート１２を支持するプラテン２７と、プラテン２７に支持されたシート１２に画像を記録する記録部２８と、排出ローラ部２６によって排出されたシート１２が載置される排出トレイ２９とを備える。プリンタ部２０は出力部及び記録部の一例であり、排出トレイ２９は排出部の一例である。
【００１５】
［搬送ローラ部２５、排出ローラ部２６］
搬送ローラ部２５は、記録部２８より搬送方向２４の上流側に配置されている。搬送ローラ部２５は、不図示のモータによってローラ２５Ａ、２５Ｂが回転されることによって、ローラ２５Ａ、２５Ｂに挟持されたシート１２を搬送方向２４に搬送する。排出ローラ部２６は、記録部２８より搬送方向２４の下流側に配置されている。排出ローラ部２６は、不図示のモータによってローラ２６Ａ、２６Ｂが回転されることによって、ローラ２６Ａ、２６Ｂに挟持されたシート１２を搬送方向２４に搬送する。
【００１６】
［プラテン２７、記録部２８］
プラテン２７及び記録部２８は、搬送方向２４における搬送ローラ部２５及び排出ローラ部２６の間に配置されている。また、プラテン２７及び記録部２８は、上下方向において対向して配置されている。記録部２８は、キャリッジ２８Ａと、記録ヘッド２８Ｂとを備える。記録部２８は、不図示のモータによってキャリッジ２８Ａが主走査方向に往復移動される過程において、記録ヘッド２８Ｂの下面に設けられたノズルからインクを吐出させる。これにより、プラテン２７に支持されたシート１２に画像が記録される。
【００１７】
［スキャナ部３０］
スキャナ部３０は、図２（Ｂ）に示されるように、原稿が載置されるコンタクトガラス３１と、コンタクトガラス３１に載置された原稿に記録された画像を読み取る読取部３２と、ＦＢカバー３３と、カバーセンサ３４（図３参照）とを備える。すなわち、スキャナ部３０は、所謂フラットベッド方式を採用している。但し、所謂ＡＤＦ（Ａｕｔｏ  Ｄｏｃｕｍｅｎｔ  Ｆｅｅｄｅｒの略）がＦＢカバー３３の上面にさらに設けられていてもよい。コンタクトガラス３１は、載置台の一例である。
【００１８】
読取部３２は、ＣＩＳ（Ｃｏｎｔａｃｔ  Ｉｍａｇｅ  Ｓｅｎｓｏｒの略）３２Ａを有する。読取部３２は、不図示のモータによって待機位置３２Ｂから折返位置３２Ｃへ移動される過程において、コンタクトガラス３１に載置された原稿に記録された画像をＣＩＳ３２Ａに読み取らせる。また、ＣＩＳ３２Ａによる画像の読み取りが完了した読取部３２は、不図示のモータによって折返位置３２Ｃから待機位置３２Ｂへ再び移動される。
【００１９】
但し、読取部３２は、ＣＣＤ（Ｃｈａｒｇｅ−Ｃｏｕｐｌｅｄ  Ｄｅｖｉｃｅの略）と、光源と、ミラーとを、ＣＩＳ３２Ａに代えて備えてもよい。この場合の読取部３２は、例えば、ＣＣＤが待機位置３２Ｂに固定され、光源及びミラーが待機位置３２Ｂ及び折返位置３２Ｃの間を移動する。そして、待機位置３２Ｂ及び折返位置３２Ｃの間を光源及びミラーが移動される過程において、光源から出力され且つ原稿で反射された光をミラーを通じてＣＣＤに読み取らせてもよい。
【００２０】
ＦＢカバー３３は、図１（Ａ）に示される開位置と、図１（Ｂ）に示される閉位置との間を移動可能に構成されている。より詳細には、ＦＢカバー３３は、スキャナ部３０の外縁部に回動可能に支持されている。また、閉位置においてコンタクトガラス３１に対面するＦＢカバー３３の下面には、白色のプレート３３Ａが取り付けられている。プレート３３Ａの色は、例えば、一般的なシート１２より輝度値の高い基準色の一例である。
【００２１】
開位置は、コンタクトガラス３１を露出させる位置である。すなわち、ユーザは、ＦＢカバー３３が開位置のときに、コンタクトガラス３１に原稿を載置することができ、コンタクトガラス３１に載置された原稿を取り除くことができる。一方、閉位置は、コンタクトガラス３１を被覆する位置である。すなわち、ユーザは、ＦＢカバー３３が閉位置のときに、コンタクトガラス３１に原稿を載置することができず、コンタクトガラス３１に載置された原稿を取り除くことができない。
【００２２】
カバーセンサ３４は、ＦＢカバー３３の位置を検出する。より詳細には、カバーセンサ３４は、ＦＢカバー３３の位置に応じた検出信号を出力する。カバーセンサ３４は、例えば、発光部と受光部とを備える光学式センサであってもよい。そして、カバーセンサ３４は、発光部から出力された光が受光部で受光された否かに応じた検出信号を出力する。そして、開位置のＦＢカバー３３は発光部から受光部に至る光路から外れて、発光部から出力された光が受光部で受光可能になる。一方、閉位置のＦＢカバー３３は発光部から受光部に至る光路上に配置されて、発光部から出力された光を遮断する。但し、カバーセンサ３４は、機械式センサ等であってもよい。
【００２３】
［表示部４１］
表示部４１は、各種情報を表示する表示画面を備える。表示部４１としては、液晶ディスプレイ（Ｌｉｑｕｉｄ  Ｃｒｙｓｔａｌ  Ｄｉｓｐｌａｙの略）、有機ＥＬディスプレイ（Ｏｒｇａｎｉｃ  Ｅｌｅｃｔｒｏ−Ｌｕｍｉｎｅｓｃｅｎｃｅ  Ｄｉｓｐｌａｙの略）等を採用することができる。表示部４１は、報知部の一例である。但し、報知部の具体例は表示部４１に限定されず、ガイド音声やビープ音を出力するスピーカであってもよいし、点灯或いは点滅するＬＥＤランプであってもよい。
【００２４】
［操作部４２］
操作部４２は、表示部４１の表示画面に表示されたオブジェクトを指定するユーザの操作を受け付ける。具体的には、操作部４２はボタンを有しており、押下されたボタンに対応づけられた各種の操作信号をＣＰＵ５１へ出力する。さらに、操作部４２は、表示部４１の表示画面に重畳された膜状のタッチセンサを有していてもよい。すなわち、表示部４１がタッチパネルディスプレイとして構成されてもよい。
【００２５】
なお、「オブジェクト」とは、ユーザが操作部４２を操作することによって指定可能な画像を指す。一例として、オブジェクトは表示部４１に表示された文字列であって、操作部４２の方向キーを押下することによってオブジェクトの１つがハイライト表示され、操作部４２の決定ボタンを押下することによってハイライト表示されたオブジェクトが指定されてもよい。他の例として、操作部４２がタッチパネルである場合のオブジェクトは表示部４１に表示されたアイコン、ラジオボタン、チェックボックス、プルダウンメニュー、リンク等であって、タッチ位置に表示されたオブジェクトが指定されてもよい。
【００２６】
タッチパネルとして実現される操作部４２は、表示部４１の表示画面をタッチするユーザ操作を受け付ける。また、操作部４２は、ユーザがタッチした表示画面上の位置を示す位置情報を出力する。位置情報は、例えば、表示画面の左上端を原点とし、右向きをｘ軸の正の向き、下向きをｙ軸の正の向きとしたｘ−ｙ平面上の座標（ｘ，ｙ）として表現できる。タッチセンサには、静電容量方式、抵抗膜方式等の周知の方式を採用することができる。
【００２７】
なお、本明細書中における「タッチ」とは、入力媒体を表示画面に接触させる操作全般を含む。すなわち、タッチした入力媒体を所定時間内に表示画面から離間させるタップ操作、タッチした入力媒体を表示画面上で静止させるロングタッチ操作、タッチした入力媒体を表示画面上でスライドさせるスライド操作、表示画面上をスライドする入力媒体の加速度が閾値以上であるフリック操作、表示画面上の異なる位置にタッチした２つの入力媒体を互いに近づける向きにスライドさせるピンチイン操作、表示画面上の異なる位置にタッチした２つの入力媒体を互いに離れる向きにスライドさせるピンチアウト操作等は、タッチの一例である。
【００２８】
また、入力媒体が表示画面に触れていなくても、表示画面との間の距離がごく僅かな位置まで入力媒体を近接させることを、前述の「タッチ」の概念に含めてもよい。さらに入力媒体とは、ユーザの指であってもよいし、タッチペン等であってもよい。以下、表示部４１に表示されたアイコンの位置のタップを、当該アイコンを指定するユーザ操作の一例として説明する。
【００２９】
［制御部５０］
制御部５０は、複合機１０の動作を制御する。制御部５０は、図３に示されるように、ＣＰＵ５１、ＲＯＭ５２、ＲＡＭ５３、ＥＥＰＲＯＭ５４、及びＡＳＩＣ５５を備える。また、制御部５０を構成する各構成要素は、内部バス５６によって互いに接続されている。ＲＯＭ５２には、ＣＰＵ５１が各種動作を制御するためのプログラムなどが格納されている。ＲＡＭ５３は、ＣＰＵ５１が上記プログラムを実行する際に用いるデータや信号等を一時的に記録する記憶領域、或いはデータ処理の作業領域として使用される。ＥＥＰＲＯＭ５４には、電源オフ後も保持すべき設定やフラグ等が格納される。以下、ＲＯＭ５２、ＲＡＭ５３、ＥＥＰＲＯＭ５４を総称して、記憶部と表記することがある。
【００３０】
ＥＥＰＲＯＭ５４には、例えば、原稿セットフラグと、サイズ情報とが記憶される。原稿セットフラグは、コンタクトガラス３１に原稿が載置されているか否かを示す。原稿セットフラグには、後述する原稿チェック処理で原稿の存在を確認できたことに対応する第１値（以下、“ＯＮ”と表記する。）、或いは原稿チェック処理で原稿の存在を確認できなかったことに対応する第２値（以下、“ＯＦＦ”と表記する。）が設定される。サイズ情報は、コンタクトガラス３１に載置されている原稿のサイズ（例えば、Ａ４、Ｂ５、Ｌ版等）を示す情報である。
【００３１】
ＣＰＵ５１は、ＲＯＭ５２に記憶されたプログラムを読み出して実行することによって、複合機１０の動作を制御する。ＡＳＩＣ５５は、ＣＰＵ５１からの指示に従って、給送ローラ部２３、搬送ローラ部２５、排出ローラ部２６、記録部２８、読取部３２、表示部４１に制御信号を出力する。また、ＡＳＩＣ５５は、読取部３２から取得した画像データ、カバーセンサ３４から取得した検知信号、及び操作部４２から取得した操作信号をＣＰＵ５１に通知する。
【００３２】
給送ローラ部２３、搬送ローラ部２５、排出ローラ部２６は、ＡＳＩＣ５５から出力された制御信号に従って回転する。記録部２８は、ＡＳＩＣ５５から出力された制御信号に従って、キャリッジ２８Ａを移動させ、記録ヘッド２８Ｂにインクを吐出させる。読取部３２は、ＡＳＩＣ５５から出力された制御信号に従って、待機位置３２Ｂと折返位置３２Ｃとの間を移動し、コンタクトガラス３１に載置された原稿をＣＩＳ３２Ａに読み取らせる。表示部４１は、ＡＳＩＣ５５から出力された制御信号に従って、各種画面を表示画面に表示させる。
【００３３】
記憶部は、コンピュータが読み取り可能なストレージ媒体であってもよい。コンピュータが読み取り可能なストレージ媒体とは、ｎｏｎ−ｔｒａｎｓｉｔｏｒｙな媒体である。ｎｏｎ−ｔｒａｎｓｉｔｏｒｙな媒体には、上記の例の他に、ＣＤ−ＲＯＭ、ＤＶＤ−ＲＯＭ等の記録媒体も含まれる。また、ｎｏｎ−ｔｒａｎｓｉｔｏｒｙな媒体は、ｔａｎｇｉｂｌｅな媒体でもある。一方、インターネット上のサーバなどからダウンロードされるプログラムを搬送する電気信号は、コンピュータが読み取り可能な媒体の一種であるコンピュータが読み取り可能な信号媒体であるが、ｎｏｎ−ｔｒａｎｓｉｔｏｒｙなコンピュータが読み取り可能なストレージ媒体には含まれない。
【００３４】
ＲＯＭ５２に記憶されているプログラムは、ＣＰＵ５１によって実行される。しかしながら、本明細書では、ＣＰＵ５１を省略して各プログラムの動作を説明することがある。すなわち、以下の説明において、「プログラムが処理Ａを実行する」という趣旨の記述は、「ＣＰＵ５１がプログラムに記述された処理Ａを実行する」ことを指してもよい。
【００３５】
［複合機１０の動作］
図４〜図１２を参照して、複合機１０の動作を説明する。本実施形態に係る複合機１０は、複数の原稿をスキャナ部３０に順番に読み取らせ、スキャナ部３０が生成した画像データを纏めてプリンタ部２０に出力させる。
【００３６】
まず、複合機１０の制御部５０は、メニュー画面を表示部４１に表示させる（Ｓ１１）。図９（Ａ）は、メニュー画面の一例である。図９（Ａ）に示されるメニュー画面は、［２ｉｎ１コピー］アイコン６１と、［４ｉｎ１］アイコン６２と、［ソートコピー］アイコン６３と、［設定］アイコン６４とを含む。そして、制御部５０は、メニュー画面に含まれるアイコンの位置をタップするユーザ操作を、操作部４２を通じて受け付ける（Ｓ１２）。ステップＳ１２の処理は、受付処理の一例である。
【００３７】
［２ｉｎ１コピー］アイコン６１は、２枚の原稿に記録された画像をスキャナ部３０に順番に読み取らせ、スキャナ部３０が読み取った２つの画像を１枚のシート１２に対してプリンタ部２０に記録させる指示に対応する。［４ｉｎ１］アイコン６２は、４枚の原稿に記録された画像をスキャナ部３０に順番に読み取らせ、スキャナ部３０が読み取った４つの画像を１枚のシート１２に対してプリンタ部２０に記録させる指示に対応する。これらの処理は、所謂集約コピーの一例である。但し、１枚のシート１２に集約して記録する画像の数は２、４に限定されず、６、９、１２等であってもよい。［２ｉｎ１コピー］アイコン６１或いは［４ｉｎ１コピー］アイコン６２の位置をタップするユーザ操作は、Ｎ（Ｎは２以上の整数）枚の原稿に記録された画像を読取部に順番に読み取らせることを指示する指示操作の一例である。
【００３８】
［ソートコピー］アイコン６３は、スキャナ部３０に順番に読み取らせた複数の画像を、読み取り順と異なる順序でシート１２に対してプリンタ部２０に記録させる指示に対応する。例えば、読み取り順と逆順で記録する処理、複数セットのシート１２に画像を記録する場合にセット単位で画像を記録する処理は、所謂ソートコピーの一例である。［ソートコピー］アイコン６３の位置をタップするユーザ操作は、複数の原稿に記録された画像を読取部に順番に読み取らせることを指示する指示操作の一例である。［設定］アイコン６４は、複合機１０の動作に関する設定を変更する指示に対応する。
【００３９】
なお、集約コピー及びソートコピーは、スキャン動作を複数回実行した後にプリント動作を実行する点において共通する。一方、集約コピーは複数の画像を１枚のシート１２に集約して記録するのに対して、ソートコピーは１つの画像を１枚のシート１２に記録する。また、集約コピーは原稿の枚数が予め指定されているのに対して、ソートコピーは処理の開始時点において原稿の枚数が不定である。
【００４０】
次に、制御部５０は、［２ｉｎ１コピー］アイコン６１の位置をタップするユーザ操作を操作部４２を通じて受け付けたことに応じて（Ｓ１２：集約アイコン）、原稿数Ｎ＝２とする集約コピー処理を実行する（Ｓ１３）。また、制御部５０は、［４ｉｎ１コピー］アイコン６１の位置をタップするユーザ操作を操作部４２を通じて受け付けたことに応じて（Ｓ１２：集約アイコン）、原稿数Ｎ＝４とする集約コピー処理を実行する（Ｓ１３）。集約コピー処理の詳細は、図６を参照して後述する。また、制御部５０は、［ソートコピー］アイコン６３の位置をタップするユーザ操作を操作部４２を通じて受け付けたことに応じて（Ｓ１２：ソートアイコン）、ソートコピー処理を実行する（Ｓ１４）。ソートコピー処理の詳細は、図８を参照して後述する。
【００４１】
さらに、制御部５０は、［設定］アイコン６４の位置をタップするユーザ操作を操作部４２を通じて受け付けたことに応じて（Ｓ１２：設定アイコン）、設定画面を表示部４１に表示させる（Ｓ１５）。図９（Ｂ）は、設定画面の一例である。図９（Ｂ）に示される設定画面は、トリガアイコン６５、６６を含む。トリガアイコン６５は、ＦＢカバー３３の開閉をスキャン動作のトリガとする指示に対応する。トリガアイコン６６は、操作パネルの操作或いはスキャンアイコンのタップをスキャン動作のトリガとする指示に対応する。また、制御部５０は、設定画面に含まれるアイコンの位置をタップするユーザ操作を、操作部４２を通じて受け付ける（Ｓ１６）。ステップＳ１６の処理は、受付処理の一例である。
【００４２】
そして、制御部５０は、トリガアイコン６５の位置をタップするユーザ操作を操作部４２を通じて受け付けたことに応じて（Ｓ１６：センサアイコン）、後述する集約コピー処理及び後述するソートコピー処理において、ＦＢカバー３３の開閉をトリガとしてスキャナ部３０にスキャン動作を実行させる（Ｓ１７）。一方、制御部５０は、トリガアイコン６６の位置をタップするユーザ操作を操作部４２を通じて受け付けたことに応じて（Ｓ１６：パネルアイコン）、後述する集約コピー処理及び後述するソートコピー処理において、操作パネルの操作或いはスキャンアイコンのタップをトリガとしてスキャナ部３０にスキャン動作を実行させる（Ｓ１８）。本実施形態では、トリガアイコン６５の位置がタップされた場合の処理を説明する。
【００４３】
［原稿チェック処理］
また、制御部５０は、複合機１０が待機状態のときに、原稿チェック処理を実行する。原稿チェック処理は、コンタクトガラス３１に原稿が載置されているか否かを確認する処理である。複合機１０の待機状態とは、例えば、プリンタ部２０及びスキャナ部３０が動作していないとき、図９に示されるメニュー画面或いは設定画面が表示されているとき等である。図５を参照して、原稿チェック処理の詳細を説明する。
【００４４】
まず、制御部５０は、ＦＢカバー３３が開位置に移動され、その後にＦＢカバー３３が閉位置に移動される開閉動作を監視している（Ｓ２１）。より詳細には、制御部５０は、ＦＢカバー３３が開位置に位置していることに対応する検知信号がカバーセンサ３４から出力され、その後にＦＢカバー３３が閉位置に位置していることに対応する検知信号がカバーセンサ３４から出力されるのを監視している。ステップＳ２１の処理は、検知処理の一例である。
【００４５】
次に、制御部５０は、ＦＢカバー３３の開閉動作をカバーセンサ３４を通じて検知したことに応じて（Ｓ２１：Ｙｅｓ）、スキャナ部３０にスキャン動作の一部を実行させる（Ｓ２２）。より詳細には、制御部５０は、待機位置３２Ｂから確認位置３２Ｄまで読取部３２を移動させ、ＣＩＳ３２Ａに画像の読み取りを行わせる。そして、制御部５０は、ステップＳ２２でスキャナ部３０が生成した画像に含まれる基準色の割合によって、コンタクトガラス３１に原稿が載置されているか否かを判断する（Ｓ２３）。ステップＳ２２、Ｓ２３の処理は、確認処理の一例である。
【００４６】
そして、制御部５０は、基準色の割合が閾値（例えば、９５％）以上であることに応じて（Ｓ２３：Ｙｅｓ）、原稿セットフラグに“ＯＮ”を設定する（Ｓ２４）。また、制御部５０は、ステップＳ２２でスキャナ部３０が生成した画像のうち、基準色でない領域の大きさや形状に基づいて、コンタクトガラス３１に載置されている原稿のサイズ（例えば、Ａ４、Ｂ５、Ｌ版等）を特定する。そして、制御部５０は、特定した原稿サイズを示すサイズ情報を、ＥＥＰＲＯＭ５４に記憶させる（Ｓ２５）。一方、制御部５０は、基準色の割合が閾値未満であることに応じて（Ｓ２３：Ｎｏ）、原稿セットフラグに“ＯＦＦ”を設定する（Ｓ２６）。すなわち、原稿セットフラグには、直近の確認処理の結果を示す値が設定される。
【００４７】
［集約コピー処理］
まず、制御部５０は、スキャン動作の実行回数を示す変数ｎに０をセットする（Ｓ３１）。次に、制御部５０は、原稿セットフラグの値を確認する（Ｓ３２）。そして、制御部５０は、原稿セットフラグに“ＯＮ”が設定されていると判断したことに応じて（Ｓ３２：ＯＮ）、スキャナ部３０にスキャン動作を実行させる（Ｓ４０）。すなわち、制御部５０は、待機位置３２Ｂから折返位置３２Ｃまで読取部３２を移動させ、読取部３２の移動の過程でＣＩＳ３２Ａに原稿を読み取らせ、折返位置３２Ｃから待機位置３２Ｂまで読取部３２を再び移動させる。そして、制御部５０は、読取部３２が生成した画像データを、記憶部に一時記憶させる。ステップＳ４０の処理は、読取処理の一例である。
【００４８】
次に、制御部５０は、変数ｎを１だけインクリメントする（Ｓ４１）。次に、制御部５０は、変数ｎと原稿数Ｎとを比較する（Ｓ４２）。そして、制御部５０は、変数ｎが原稿数Ｎ未満だと判断したことに応じて（Ｓ４２：Ｎｏ）、後述するステップＳ３３以降の処理を実行する。一方、制御部５０は、変数ｎが原稿数Ｎに達したと判断したことに応じて（Ｓ４２：Ｙｅｓ）、プリント＆回収指示処理を実行する（Ｓ４３）。
【００４９】
制御部５０は、変数ｎが原稿数Ｎ未満だと判断したことに応じて（Ｓ４２：Ｎｏ）、或いは原稿セットフラグに“ＯＦＦ”が設定されていると判断したことに応じて（Ｓ３２：ＯＦＦ）、セット指示画面１を表示部４１に表示させる（Ｓ３３）。図１０（Ａ）は、セット指示画面１の一例である。図１０（Ａ）に示されるセット指示画面１は、「ＦＢカバーを開けて原稿をセットして下さい。」とのメッセージと、［キャンセル］アイコン７１とを含む。［キャンセル］アイコン７１は、読取処理をＮ回実行する前にステップＳ３２〜Ｓ４２の処理を終了する指示に対応する。ステップＳ３２の処理は判断処理の一例であり、ステップＳ３３の処理は第１報知処理の一例である。
【００５０】
次に、制御部５０は、セット指示画面１に従ってユーザがＦＢカバー３３を開位置に移動させたことを、カバーセンサ３４から出力される検知信号に基づいて検知する（Ｓ３５：Ｙｅｓ）。そして、制御部５０は、ＦＢカバー３３の開位置への移動を検知したことに応じて（Ｓ３５：Ｙｅｓ）、セット指示画面２を表示部４１に表示させる（Ｓ３６）。図１０（Ｂ）は、セット指示画面２の一例である。図１０（Ｂ）に示されるセット指示画面２は、「原稿をセットしてＦＢカバーを閉じて下さい。」とのメッセージと、［キャンセル］アイコン７２とを含む。［キャンセル］アイコン７２は、読取処理をＮ回実行する前に連続読取処理を終了する指示に対応する。ステップＳ３６の処理は、第１報知処理の一例である。
【００５１】
次に、制御部５０は、セット指示画面２に従ってユーザがＦＢカバー３３を閉位置に移動させたことを、カバーセンサ３４から出力される検知信号に基づいて検知する（Ｓ３８：Ｙｅｓ）。そして、制御部５０は、ＦＢカバー３３の閉位置への移動を検知したことに応じて（Ｓ３８：Ｙｅｓ）、原稿チェック処理を実行する（Ｓ３９）。原稿チェック処理の詳細は既に説明したので、再度の説明は省略する。但し、ステップＳ３５、Ｓ３８でＦＢカバー３３の開閉動作を検知しているので、ステップＳ２１の処理は省略される。すなわち、ステップＳ３５、Ｓ３８の処理は、検知処理の一例である。
【００５２】
制御部５０は、原稿チェック処理（Ｓ３９）の実行後にステップＳ３２の処理を再び実行する（Ｓ３２）。そして、制御部５０は、原稿セットフラグに“ＯＮ”が設定されていると判断したことに応じて（Ｓ３２：ＯＮ）、ステップＳ４０以降の処理を実行する。一方、制御部５０は、原稿チェック処理（Ｓ３９）の実行後の原稿セットフラグに“ＯＦＦ”が設定されていると判断したことに応じて（Ｓ３２：ＯＦＦ）、ステップＳ３３以降の処理を再び実行する。
【００５３】
また、制御部５０は、［キャンセル］アイコン７１、７２の位置をタップするユーザ操作を操作部４２を通じて受け付けたことに応じて（Ｓ３４：Ｙｅｓ／Ｓ３７：Ｙｅｓ）、ステップＳ３２〜Ｓ４２の処理を中止して、プリント＆回収指示処理を実行する（Ｓ４３）。すなわち、制御部５０は、読取処理（Ｓ４０）をＮ回実行するまで、或いは［キャンセル］アイコン７１、７２の位置がタップされるまで、ステップＳ３２〜Ｓ４２の処理を繰り返し実行する。ステップＳ３２〜Ｓ４２の処理は、連続読取処理の一例である。［キャンセル］アイコン７１、７２の位置をタップするユーザ操作は、連続読取処理の中心を指示するキャンセル操作の一例である。
【００５４】
［プリント＆回収指示処理］
制御部５０は、図７に示されるように、プリンタ部２０にプリント動作を実行させる（Ｓ５１）。すなわち、制御部５０は、給送ローラ部２３、搬送ローラ部２５、及び排出ローラ部２６にシート１２を搬送させ、繰り返し実行したステップＳ４０で読取部３２に読み取らせたｎ個の画像を、シート１２に集約して記録部２８に記録させる。ステップＳ５１の処理は、出力処理の一例である。但し、制御部５０は、シート１２が排出ローラ部２６のローラ２６Ａ、２６Ｂに挟持された状態で、ステップＳ５１の処理を終了する。すなわち、ユーザは、この時点において、画像が記録されたシート１２を複合機１０から取り出すことができない。
【００５５】
次に、制御部５０は、回収指示画面１を表示部に表示させる（Ｓ５２）。図１１（Ａ）は、回収指示画面１の一例である。図１１（Ａ）に示される回収指示画面１は、「ＦＢカバーを開けて原稿を回収して下さい。」とのメッセージと、［継続］アイコン７５とを含む。［継続］アイコン７５は、新たな集約コピー処理を実行する指示に対応する。ステップＳ５２の処理は、第２報知処理の一例である。
【００５６】
次に、制御部５０は、回収指示画面１に従ってユーザがＦＢカバー３３を開位置に移動させたことを、カバーセンサ３４から出力される検知信号に基づいて検知する（Ｓ５４：Ｙｅｓ）。そして、制御部５０は、ＦＢカバー３３の開位置への移動を検知したことに応じて（Ｓ５４：Ｙｅｓ）、回収指示画面２を表示部４１に表示させる（Ｓ５５）。図１１（Ｂ）は、回収指示画面２の一例である。図１１（Ｂ）に示される回収指示画面２は、「原稿を回収してＦＢカバーを閉じて下さい。」とのメッセージと、［継続］アイコン７６とを含む。［継続］アイコン７５は、新たな集約コピー処理を実行する指示に対応する。ステップＳ５２の処理は、第２報知処理の一例である。
【００５７】
次に、制御部５０は、回収指示画面２に従ってユーザがＦＢカバー３３を閉位置に移動させたことを、カバーセンサ３４から出力される検知信号に基づいて検知する（Ｓ５７：Ｙｅｓ）。そして、制御部５０は、ＦＢカバー３３の閉位置への移動を検知したことに応じて（Ｓ５７：Ｙｅｓ）、原稿チェック処理を実行する（Ｓ５８）。原稿チェック処理の詳細は既に説明したので、再度の説明は省略する。但し、ステップＳ５４、Ｓ５７でＦＢカバー３３の開閉動作を検知しているので、ステップＳ２１の処理は省略される。すなわち、ステップＳ５４、Ｓ５７の処理は、検知処理の一例である。
【００５８】
次に、制御部５０は、原稿セットフラグの値を確認する（Ｓ５９）。そして、制御部５０は、原稿セットフラグに“ＯＦＦ”が設定されていると判断したことに応じて（Ｓ５９：ＯＦＦ）、ステップＳ５１で画像が記録され且つローラ２６Ａ、２６Ｂに挟持されているシート１２を、排出ローラ部２６に排出トレイ２９へ排出させる（Ｓ６０）。ステップＳ６０の処理は、排出処理の一例である。一方、制御部５０は、原稿セットフラグに“ＯＮ”が設定されていると判断したことに応じて（Ｓ５９：ＯＮ）、ステップＳ５２以降の処理を再び実行する。
【００５９】
また、制御部５０は、［継続］アイコン７５、７６の位置をタップするユーザ操作を操作部４２を通じて受け付けたことに応じて（Ｓ５３：Ｙｅｓ／Ｓ５６：Ｙｅｓ）、排出処理（Ｓ６１）を実行し、原稿セットフラグに“ＯＦＦ”を設定（Ｓ６２）し、図４のステップＳ１１以降の処理を実行する。すなわち、［継続］アイコン７５、７６の位置がタップされた場合、コンタクトガラス３１に原稿が載置されているか否かに拘わらず、原稿セットフラグに“ＯＦＦ”が設定される。
【００６０】
［集約コピー処理］
まず、制御部５０は、図８に示されるように、原稿セットフラグの値を確認する（Ｓ７１）。そして、制御部５０は、原稿セットフラグに“ＯＮ”設定されていると判断したことに応じて（Ｓ７１：ＯＮ）、スキャナ部３０にスキャン動作を実行させる（Ｓ７２）。ステップＳ７２の処理は、ステップＳ４０の処理と同様であってもよい。一方、制御部５０は、原稿セットフラグに“ＯＦＦ”が設定されていると判断したことに応じて（Ｓ７１：ＯＦＦ）、ステップＳ７２の処理をスキップする。ステップＳ７１の処理は判断処理の一例であり、ステップＳ７２の処理は読取処理の一例である。
【００６１】
次に、制御部５０は、セット指示画面３を表示部４１に表示させる（Ｓ７３）。図１２（Ａ）は、セット指示画面３の一例である。図１２（Ａ）に示されるセット指示画面３は、「ＦＢカバーを開けて原稿をセットして下さい。」とのメッセージ、及び「終了するときは原稿を回収して下さい。」とのメッセージを含む。ステップＳ７３の処理は、第１報知処理の一例である。
【００６２】
次に、制御部５０は、セット指示画面３に従ってユーザがＦＢカバー３３を開位置に移動させたことを、カバーセンサ３４から出力される検知信号に基づいて検知する（Ｓ７４：Ｙｅｓ）。そして、制御部５０は、ＦＢカバー３３の開位置への移動を検知したことに応じて（Ｓ７４：Ｙｅｓ）、セット指示画面４を表示部４１に表示させる（Ｓ７５）。図１２（Ｂ）は、セット指示画面４の一例である。図１２（Ｂ）に示されるセット指示画面４は、「原稿をセットしてＦＢカバーを閉じて下さい。」とのメッセージ、及び「終了するときは原稿を回収してください。」とのメッセージを含む。ステップＳ７５の処理は、第１報知処理の一例である。
【００６３】
次に、制御部５０は、セット指示画面４に従ってユーザがＦＢカバー３３を閉位置に移動させたことを、カバーセンサ３４から出力される検知信号に基づいて検知する（Ｓ７６：Ｙｅｓ）。そして、制御部５０は、ＦＢカバー３３の閉位置への移動を検知したことに応じて（Ｓ７６：Ｙｅｓ）、原稿チェック処理を実行する（Ｓ７７）。原稿チェック処理の詳細は既に説明したので、再度の説明は省略する。但し、ステップＳ７４、Ｓ７６でＦＢカバー３３の開閉動作を検知しているので、ステップＳ２１の処理は省略される。すなわち、ステップＳ７４、Ｓ７６の処理は、検知処理の一例である。
【００６４】
次に、制御部５０は、原稿セットフラグの値を確認する（Ｓ７８）。そして、制御部５０は、原稿セットフラグに“ＯＦＦ”が設定されていると判断したことに応じて（Ｓ７８：ＯＦＦ）、プリンタ部２０にプリント動作を実行させる（Ｓ７９）。ステップＳ７９の処理は、ステップＳ５１、Ｓ６０の処理と同様であってもよい。一方、制御部５０は、原稿セットフラグに“ＯＮ”が設定されていると判断したことに応じて（Ｓ７８：ＯＮ）、ステップＳ７２以降の処理を再び実行する。すなわち、制御部５０は、コンタクトガラス３１に原稿が載置されていない状態でＦＢカバー３３が閉じられるまで、ステップＳ７２〜Ｓ７８の処理を繰り返し実行する。ステップＳ７２〜Ｓ７８の処理は、連続読取処理の一例である。
【００６５】
［本実施形態の作用効果］
上記の実施形態に係る集約コピー処理によれば、ＦＢカバー３３の開閉が検知されたことをトリガとして読取処理（Ｓ４０）が実行されるので、連続読取処理におけるユーザ操作を簡略化することができる。また、連続読取処理の開始前に指定したＮ回の読取処理を実行したことに応じて、プリント＆回収指示処理（Ｓ４３）が実行される。また、上記の実施形態に係る集約コピー処理によれば、明示のキャンセル操作がなされたことに応じて（Ｓ３４：Ｙｅｓ／Ｓ３７：Ｙｅｓ）、Ｎ回の読取処理が実行される前に連続読取処理が中止されて、プリント＆回収指示処理（Ｓ４３）が実行される。すなわち、連続読取処理の終了を適切に判断することができる。
【００６６】
また、上記の実施形態に係る集約コピー処理によれば、原稿チェック処理で原稿の存在を確認するまでステップＳ３３以降の処理が繰り返し実行される。これにより、コンタクトガラス３１に原稿が載置されていない状態で読取処理が実行されることが防止される。その結果、必要な全ての画像を読み取ってからプリント＆回収指示処理（Ｓ４３）を開始することができる。但し、集約コピー処理において、原稿チェック処理で原稿の存在を確認できなかった場合（Ｓ３９→Ｓ３２：ＯＦＦ）の処理は、上記の例に限定されない。
【００６７】
例えば、制御部５０は、原稿チェック処理で原稿の存在を確認できなかったことに応じて、連続読取処理を中止してプリント＆回収指示処理（Ｓ４３）を実行してもよい。この例では、原稿をコンタクトガラス３１に載置せずにＦＢカバー３３を閉じる操作を、キャンセル操作として受け付ける。これにより、連続読取処理を終了させるユーザ操作を簡略化できると共に、当該連続読取処理の終了を適切に判断することができる。
【００６８】
また、上記の実施形態に係るプリント＆回収指示処理によれば、最後の原稿をコンタクトガラス３１から取り除かないと、画像が記録されたシート１２が排出トレイ２９に排出されない。その結果、原稿の取り忘れを抑制することができる。但し、ステップＳ６０を実行するタイミングは、図７の例に限定されない。一例として、制御部５０は、回収指示画面１の表示中にＦＢカバー３３の開放をカバーセンサ３４を通じて検知したことに応じて（Ｓ５４：Ｙｅｓ）、ステップＳ６０の処理を実行してもよい。この場合のステップＳ５４の処理は、開検知処理の一例である。他の例として、制御部５０は、ステップＳ５１の直後にステップＳ６０の処理を実行してもよい。
【００６９】
また、制御部５０は、ステップＳ５１において、ステップＳ４０で読み取ったｎ枚の画像を縮小し、縮小したｎ枚の画像を集約して１枚のシートに記録してもよい。一方、免許証や保険証等の両面の画像を１枚のシートに記録する所謂２ｉｎ１ＩＤコピーの場合、制御部５０は、ステップＳ５１において、ステップ４０で読み取った２枚の画像を縮小せずに１枚のシートに記録する。この場合の制御部５０は、ステップＳ３９で実行する原稿チェック処理において、以下の処理をさらに実行してもよい。
【００７０】
すなわち、制御部５０は、コンタクトガラス３１に載置された原稿のサイズと、給送トレイ２１に載置されたシート１２のサイズとを比較してもよい。そして、制御部５０は、原稿のサイズがシート１２のサイズの１／Ｎ以下であることに応じて、原稿セットフラグに“ＯＮ”を設定してもよい。一方、制御部５０は、原稿のサイズがシート１２のサイズの１／Ｎより大きいことに応じて、原稿セットフラグに“ＯＦＦ”を設定してもよい。なお、給送トレイ２１に載置されたシート１２のサイズは、例えば、給送トレイ２１に設けられたセンサ、或いは操作部４２を通じてユーザ入力に基づいて特定すればよい。
【００７１】
また、上記の実施形態に係るソートコピー処理によれば、ＦＢカバー３３の開閉が検知されたことをトリガとして読取処理（Ｓ７２）が実行されるので、連続読取処理におけるユーザ操作を簡略化することができる。また、コンタクトガラス３１に原稿を載置せずにＦＢカバー３３を閉位置に移動させたことに応じて（Ｓ７８：ＯＦＦ）、連続読取処理が終了されて、これまでに読み取られた画像に対する出力処理（Ｓ７９）が実行される。すなわち、連続読取処理の終了を適切に判断することができる。
【００７２】
また、上記の実施形態に係る集約コピー処理及びソートコピー処理によれば、処理開始時点における原稿セットフラグに“ＯＮ”が設定されている、すなわち、コンタクトガラス３１に原稿が載置された状態でアイコン６１〜６３がタップされたことに応じて、１回目のステップＳ３３〜Ｓ３９、Ｓ７３〜Ｓ７８の処理が実行されずに、１回目の読取処理（Ｓ４０、Ｓ７２）が実行される。これにより、１枚の原稿をコンタクトガラス３１に載置してから、メニュー画面のアイコン６１〜６３の位置をタップした場合に、１枚目の原稿の載置を報知する処理が省略される。
【００７３】
一方、上記の実施形態に係る集約コピー処理及びソートコピー処理によれば、処理開始時点における原稿セットフラグに“ＯＦＦ”が設定されている、すなわち、コンタクトガラス３１に原稿が載置されていない状態でアイコン６１〜６３がタップされたことに応じて、コンタクトガラス３１への原稿の載置が報知され（Ｓ３３、Ｓ３６／Ｓ７３、Ｓ７５）、原稿の載置が確認されてからスキャン動作が実行される（Ｓ３２：ＯＮ→Ｓ４０／Ｓ７８：ＯＮ→Ｓ７２）。すなわち、１枚目の原稿のコンタクトガラス３１への載置と、アイコン６１〜６３のタップとの先後によらず、連続読取処理が適切に実行される。
【００７４】
なお、上記の実施形態に係る集約コピー処理及びソートコピー処理において、ステップＳ３３、Ｓ７３の処理は、読取処理（Ｓ４０、Ｓ７２）で読取部３２が折返位置３２Ｃに到達したことに応じて、或いは読取部３２が折返位置３２Ｃから待機位置３２Ｂに移動している間に開始されてもよい。これにより、読取部３２が次の読取処理を実行するために待機位置３２Ｂに戻る時間を利用して、コンタクトガラス３１に載置される原稿をユーザに交換させることができる。その結果、連続読取処理のスループットが向上する。また、上記の実施形態において、ステップＳ３３、Ｓ３６の一方を省略してもよい。同様に、ステップＳ７３、Ｓ７５の一方を省略してもよい。
【００７５】
また、図９（Ｂ）に示されるトリガアイコン６６が指定された場合の集約コピー処理及びソートコピー処理において、制御部５０は、セット指示画面２、４に［スキャン］アイコンをさらに含めてもよい。［スキャン］アイコンは、スキャナ部３０にスキャン動作を実行させる指示に対応する。そして、制御部５０は、［スキャン］アイコンの位置をタップするユーザ操作を操作部４２を通じて受け付けたことに応じて、読取処理を実行してもよい。また、この場合の集約コピー処理及びソートコピー処理において、ステップＳ３５、Ｓ３７、Ｓ７４、Ｓ７６の処理は省略されてもよい。
【００７６】
また、上記の実施形態では、出力処理の一例として集約コピー及びソートコピーを説明したが、出力処理の具体例はこれらに限定されない。例えば、制御部５０は、出力処理において、連続読取処理で読み取った複数の画像を含む画像データを、複合機１０に装着された可搬記録媒体（例えば、ＵＳＢメモリ等）に記憶させてもよい。
【００７７】
また、上記の実施形態の複合機１０において、ＲＯＭ５２に記憶された各種プログラムがＣＰＵ５１によって実行されることによって、本発明の制御部が実行する各処理が実現される例を説明した。しかしながら、制御部の構成はこれに限定されず、その一部又は全部を集積回路（ＩＣ（Ｉｎｔｅｇｒａｔｅｄ  Ｃｉｒｃｕｉｔの略）とも言う。）等のハードウェアで実現してもよい。
【００７８】
さらに、本発明は、複合機１０として実現できるだけでなく、複合機１０に処理を実行させるプログラムとして実現してもよい。そして、当該プログラムは、ｎｏｎ−ｔｒａｎｓｉｔｏｒｙな記録媒体に記録されて提供されてもよい。ｎｏｎ−ｔｒａｎｓｉｔｏｒｙな記録媒体は、ＣＤ−ＲＯＭ、ＤＶＤ−ＲＯＭ等の他、通信ネットワークを通じて複合機１０に接続可能なサーバに搭載された記憶部を含んでもよい。そして、サーバの記憶部に記憶されたプログラムは、当該プログラムを示す情報或いは信号として、インターネット等の通信ネットワークを通じて配信されてもよい。
【符号の説明】
【００７９】
１０・・・複合機１０
２０・・・プリンタ部
３０・・・スキャナ部
３１・・・コンタクトガラス
３２・・・読取部
３３・・・ＦＢカバー
３４・・・カバーセンサ
４１・・・表示部
４２・・・操作部
５０・・・制御部
【図１】
0006610134.tif 000002
【図２】
0006610134.tif 000003
【図３】
0006610134.tif 000004
【図４】
0006610134.tif 000005
【図５】
0006610134.tif 000006
【図６】
0006610134.tif 000007
【図７】
0006610134.tif 000008
【図８】
0006610134.tif 000009
【図９】
0006610134.tif 000010
【図１０】
0006610134.tif 000011
【図１１】
0006610134.tif 000012
【図１２】
0006610134.tif 000013